(57)【要約】【課題】遠心分離機を複数の運転条件の下で連続的に動作させるための条件設定操作を、容易且つ正確に行うことができる遠心分離機を提案すること。【解決手段】運転条件を複数のメモリーにそれぞれ記憶させておき、単独または連続してこれらのメモリーに記憶させた運転条件を呼び出して運転制御するように構成された遠心分離機において、上記複数のメモリーＭ１，Ｍ２，Ｍ３に対応する複数のメモリー選択キー８ａ，８ｂ，８ｃを設け、該メモリー選択キーの選択によって、運転条件を記憶させるメモリーの特定及び運転条件を呼び出すメモリーの特定が成されると共に、該メモリー選択キーの選択順序によって、運転条件を呼び出すメモリーの順序の特定が成される遠心分離機とした。【選択図】図３
2010194444.tif 000002
【特許請求の範囲】
【請求項１】
運転条件を複数のメモリーにそれぞれ記憶させておき、単独または連続してこれらのメモリーに記憶させた運転条件を呼び出して運転制御するように構成された遠心分離機において、上記複数のメモリーに対応する複数のメモリー選択キーを設け、該メモリー選択キーの選択によって、運転条件を記憶させるメモリーの特定及び運転条件を呼び出すメモリーの特定が成されると共に、上記メモリー選択キーの選択順序によって、運転条件を呼び出すメモリーの順序の特定が成されることを特徴とする、遠心分離機。
【請求項２】
上記メモリー選択キーの近傍に動作シーケンス表示部を設け、該動作シーケンス表示部によって、上記選択されたメモリーを示す標識を表示すると共に、上記選択されたメモリーの選択順序を示す標識を表示することを特徴とする、請求項１に記載の遠心分離機。
【請求項３】
上記動作シーケンス表示部が複数の発光素子からなり、該発光素子が、上記選択されたメモリーを示す標識を第１のモードで発光し、上記選択されたメモリーの選択順序を示す標識を第２のモードで発光することを特徴とする、請求項２に記載の遠心分離機。
【請求項４】
上記第１のモードが連続点灯で上記第２のモードが点滅点灯であること、或いはその逆であることを特徴とする、請求項３に記載の遠心分離機。
【請求項５】
上記メモリー選択キーの押し方の相違によって、上記運転条件を記憶させるメモリーの特定操作であるか、上記運転条件を呼び出すメモリーの特定操作であるかを区分けすることを特徴とする、請求項１〜４のいずれかに記載の遠心分離機。
【発明の詳細な説明】
【技術分野】
【０００１】
本発明は、遠心分離機に関するもので、特に、複数の運転条件の下で連続的に動作させる遠心分離機に関するものである。
【背景技術】
【０００２】
特許文献１には、複数の運転条件にメモリー番号を設定して記憶装置に登録し、該記憶装置より上記メモリー番号により運転条件を呼び出して遠心分離機を運転制御するようにした遠心分離機において、連続運転のため上記メモリー番号と異なる特定のメモリー番号を設け、該特定のメモリー番号順に運転条件を上記記憶装置に登録し、まず最初に登録した運転条件を最初のメモリー番号で呼び出して遠心分離機を運転し、その運転が終了した時点で、次のメモリー番号で登録された運転条件を自動的に呼び出し、順次運転を継続するようにした遠心分離機が開示されている。
【０００３】
また、特許文献２には、ロータの回転速度又は遠心加速度の設定や現在の運転状態の表示を行う操作パネル部を備え、さらに数値表示部に表示する文字の色を切り換えて表示する切換手段とを有する遠心分離機の操作パネルが開示されている。
【先行技術文献】
【特許文献】
【０００４】
【特許文献１】特公平７−１８１号公報
【特許文献２】特開２００８−２２１１０３号公報
【発明の概要】
【発明が解決しようとする課題】
【０００５】
ところで、遠心分離機の利用分野では、研究者向けに多種多様の抽出精製用途の試薬キットが提供されており、運転条件を変えて連続的に遠心分離機を運転することが要求される場合がある。例えば、第１の設定温度、第１の回転速度、第１の運転時間の条件の下で運転を行い、引き続いて、第２の設定温度、第２の回転速度、第２の運転時間の条件の下で運転を行うことが要求される場合がある。
【０００６】
このような場合、従来技術による遠心分離機では、操作性が悪く、往々にして入力ミス等の誤操作を引き起こしてしまうことがあった。すなわち、例えば特許文献１に開示された技術では、複数の運転条件での連続運転を行う際には、特定のメモリー番号が使用され、その特定のメモリー番号順に運転条件を登録する必要があるため、各運転条件を設定するまでの手順が多く、操作が煩わしいものであった。また、特許文献２に開示された表示装置では、設定された運転条件や現在の運転条件を表示するものではあるが、複数の運転条件がどの様な順序で選択されたかを表示することはできず、最初の運転条件と次の運転条件とを逆に設定してしまうことも生じ、入力ミス等の誤操作が生じ易いものであった。
【０００７】
そこで、本発明の目的は、遠心分離機を複数の運転条件の下で連続的に動作させるための条件設定操作を、容易且つ正確に行うことができる遠心分離機を提案することにある。
【課題を解決するための手段】
【０００８】
上記した課題は、次の〔１〕〜〔５〕の本発明によって解決された。
〔１〕  運転条件を複数のメモリーにそれぞれ記憶させておき、単独または連続してこれらのメモリーに記憶させた運転条件を呼び出して運転制御するように構成された遠心分離機において、上記複数のメモリーに対応する複数のメモリー選択キーを設け、該メモリー選択キーの選択によって、運転条件を記憶させるメモリーの特定及び運転条件を呼び出すメモリーの特定が成されると共に、上記メモリー選択キーの選択順序によって、運転条件を呼び出すメモリーの順序の特定が成されることを特徴とする、遠心分離機。
〔２〕  上記メモリー選択キーの近傍に動作シーケンス表示部を設け、該動作シーケンス表示部によって、上記選択されたメモリーを示す標識を表示すると共に、上記選択されたメモリーの選択順序を示す標識を表示することを特徴とする、上記〔１〕に記載の遠心分離機。
〔３〕  上記動作シーケンス表示部が複数の発光素子からなり、該発光素子が、上記選択されたメモリーを示す標識を第１のモードで発光し、上記選択されたメモリーの選択順序を示す標識を第２のモードで発光することを特徴とする、上記〔２〕に記載の遠心分離機。
〔４〕  上記第１のモードが連続点灯で上記第２のモードが点滅点灯であること、或いはその逆であることを特徴とする、上記〔３〕に記載の遠心分離機。
〔５〕  上記メモリー選択キーの押し方の相違によって、上記運転条件を記憶させるメモリーの特定操作であるか、上記運転条件を呼び出すメモリーの特定操作であるかを区分けすることを特徴とする、上記〔１〕〜〔４〕のいずれかに記載の遠心分離機。
【発明の効果】
【０００９】
上記した本発明に係る遠心分離機によれば、運転条件を記憶させるメモリーを特定するキーと、運転条件を呼び出すメモリーを特定するキーと、更には運転条件の実行順序を決定するキーとが、同一のメモリー選択キーであることから、操作性が極めて良好なものとなる。また、別途連続運転の為のキー等を設ける必要がなくなり、パネルの省スペース化が図れ、コストを軽減することができる。
【００１０】
また、上記メモリー選択キーの近傍に動作シーケンス表示部を設け、該動作シーケンス表示部によって、上記選択されたメモリーを示す標識を表示すると共に、上記選択されたメモリーの選択順序を示す標識を表示することとした場合には、操作者は、運転条件の記憶場所、運転条件の呼び出し場所、更には運転条件の設定状態を把握でき、さらに入力ミス、操作ミス等を防止することができる。
【図面の簡単な説明】
【００１１】
【図１】本発明に係る遠心分離機の実施の形態におけるパネル部分の一例を示した概念的な平面図である。
【図２】メモリーに運転条件を記憶させる手順の一例を示したフローチャートである。
【図３】遠心分離機を動作させるときの一例を示したフローチャートである。
【図４】電子回路の一例を示したブロック・ダイアグラムである。
【発明を実施するための形態】
【００１２】
以下、上記した本発明に係る遠心分離機の実施の形態を、図面を参照しながら詳細に説明する。
【００１３】
図１は本発明に係る遠心分離機の実施の形態における、パネル部分の一例を示した概念図である。
【００１４】
このパネル１は、遠心分離機の運転条件を設定し、実行するための入力部１ａ、パラメータ値表示部１ｂ、動作シーケンス表示部１ｃ等を含む。また、このパネル１は、温度（ＴＥＭＰ）と、回転速度／遠心加速度（ＳＰＥＥＤ／ＲＣＦ）と、運転時間（ＴＩＭＥ）の組からなる運転条件のパラメータ値を入力するように構成されている。
【００１５】
遠心分離機の運転条件である温度、回転速度／遠心加速度、運転時間の値の設定は、それらに対応する運転条件選択キー３ａ，３ｂ，３ｃの中の一つを選択し、その後、設定値増加キー７ａと設定値減少キー７ｂを使って、温度表示手段４ａ、速度表示手段４ｂ、運転時間表示手段４ｃの表示値を変更することによって行う。
【００１６】
電源スイッチ２を入れると、温度の初期設定値（例えば４）が温度表示手段４ａに表示され、回転速度の初期設定値（例えば１３５００）が速度表示手段４ｂに表示され、分単位での運転時間の初期設定値（例えば１０）が運転時間表示手段４ｃに表示される。なお、ここで言う初期設定値とは、最も近々に行った運転条件の設定値と言う程度の意味で使用している。
【００１７】
運転条件選択キー３ｂを押すと、回転速度モードと遠心加速度モードが切り替わる。遠心加速度モードでは、遠心加速度の初期設定値（例えば１７７３０）が速度表示手段４ｂに表示される。再度運転条件選択キー３ｂを押すと、回転速度モードに戻り、再び回転速度の初期設定値（例えば１３５００）が速度表示手段４ｂに表示される。回転速度モードであるときには、文字「ｒｐｍ」の近くに配置された回転速度モード表示手段５ａが点灯し、遠心加速度モードであるときは文字「Ｇ」の近くに配置された遠心加速度モード表示手段５ｂが点灯する。
【００１８】
上記初期設定値を変更するには、設定値増加キー７ａと設定値減少キー７ｂを使う。例えば、運転条件選択キー３ａを押して温度を選択し、その後、設定値増加キー７ａを押すと、温度表示手段４ａに表示される値がインクリメントできる、即ち所定の値だけ増加する。逆に、設定値減少キー７ｂを押すと、温度表示手段４ａに表示される値がデクリメントできる、即ち所定の値だけ減少する。このようにして値を増減し、所望の温度に設定する。回転速度或いは遠心加速度も、運転条件選択キー３ｂを押して同様に所望の値に設定する。分単位或いは秒単位の運転時間も、運転条件選択キー３ｃを押して同様に所望の値に設定する。
【００１９】
運転時間の分単位モードと秒単位モードとの切り替わりは、設定値増加キー７ａと設定値減少キー７ｂの操作に連動して行われる。即ち、１０〜５０秒の間は１０秒単位で、１〜９９分までは１分単位で設定値増加キー７ａ或いは設定値減少キー７ｂの操作により表示値を変更することができ、運転時間表示手段４ｃの表示値が〔５０〕秒表示の時に設定値増加キー７ａを押すと分単位モードに切り替わって〔１〕分と表示され、運転時間表示手段４ｃの表示値が〔１〕分表示の時に設定値減少キー７ｂを押すと秒単位モードに切り替わって〔５０〕秒と表示される。そして、分単位モードであるときには、文字「ｍｉｎ」の近くに配置された分単位モード表示手段６ａが点灯し、秒単位モードであるときは文字「ｓｅｃ」の近くに配置された秒単位モード表示手段６ｂが点灯する。
【００２０】
運転条件の全てのパラメータ値を所望の値に設定した後、メモリーＭ１（ＭＥＭＯ１）、メモリーＭ２（ＭＥＭＯ２）、メモリーＭ３（ＭＥＭＯ３）にそれぞれ対応するメモリー選択キー８ａ，８ｂ，８ｃの中の一つ（例えばメモリー選択キー８ａ）を選択し、そして、それを例えば長押し（例えば３秒程度）することにより、対応するメモリー（例えばメモリーＭ１）に上の過程で設定した運転条件のパラメータ値を記憶させる。
【００２１】
同様にして、運転条件のパラメータ値を変えた後、他のメモリー選択キー（例えばメモリー選択キー８ｂ）を選択し、それを長押しして、それに対応するメモリー（メモリーＭ２）に値を記憶させる。なお、図１に示したパネル１においては、ＭＥＭＯ１からＭＥＭＯ３までの３個のメモリー選択キー８ａ，８ｂ，８ｃであるが、これに限らず、２以上であればよい。
【００２２】
メモリーＭ１，Ｍ２等に記憶された運転条件の実行順序は、メモリーＭ１，Ｍ２等に対応するメモリー選択キー８ａ，８ｂ，８ｃを押す順序で決まる。例えば、最初にメモリー選択キー８ｃを押し、次にメモリー選択キー８ａを押し、最後にスタートキー９を押すと、中央制御装置１１が、最初にメモリーＭ３に記憶された運転条件で遠心分離機を動作させ、それが終わると引き続いて、メモリーＭ１に記憶された運転条件で遠心分離機を動作させる。なお、この際のメモリー選択キーの押し方は、前記した運転条件を記憶させるメモリーを特定する場合の例えば長押し（例えば３秒程度）ではなく、普通に短く押す等の、相違した押し方とする。
【００２３】
上記のように、運転条件を記憶させるメモリーを特定するキーと、運転条件を呼び出すメモリーを特定するキーと、更には運転条件の実行順序を決定するキーとが、同一のメモリー選択キー８ａ，８ｂ，８ｃであることから、本発明に係る遠心分離機は、操作性が極めて良好なものとなると共に、パネルの省スペース化にもなり、コストを軽減することができる。
【００２４】
図２はメモリーＭ１，Ｍ３に、新たな運転条件を記憶させる手順を示したフローチャートである。メモリー素子は書き換え可能な不揮発性メモリーである。第１ステップで、遠心分離機の運転条件を入力し、第２ステップでメモリー選択キー８ａを長押しすることにより、不揮発性メモリーであるメモリーＭ１に第１の運転条件を記憶させる。続いて、第４ステップで遠心分離機の他の運転条件を入力し、第５ステップでメモリー選択キー８ｃを長押しすることにより、不揮発性メモリーであるメモリーＭ３に第３の運転条件を記憶させる。なお、この場合、メモリーＭ２に記憶された第２の運転条件は変更されない。
【００２５】
図１の実施の形態では、動作シーケンス表示部１ｃが、発光素子である発光ダイオードＬ１〜Ｌ８によって構成されている。すなわち、メモリー選択キー８ａ，８ｂ，８ｃを押すことにより、運転条件を記憶させるメモリーＭ１，Ｍ２，Ｍ３を特定した際、或いは運転条件を呼び出すメモリーＭ１，Ｍ２，Ｍ３を特定した際に、それぞれに対応して、発光ダイオードＬ１，Ｌ２，Ｌ３が発光し、また、メモリーＭ１，Ｍ２，Ｍ３に記憶されている運転条件で遠心分離機を動作させている期間中、それに対応して、発光ダイオードＬ１，Ｌ２，Ｌ３が発光する。発光ダイオードＬ１，Ｌ２，Ｌ３は、それぞれメモリー選択キー８ａ，８ｂ，８ｃである文字「ＭＥＭＯ１」，「ＭＥＭＯ２」，「ＭＥＭＯ３」の近くに配設されているので、選択したメモリー、また、現在動作中の運転条件を記憶したメモリーが何であるかが分かる。例えば、メモリー選択キー８ｃを押すことによりメモリーＭ３に記憶されている運転条件を呼び出した際、また、メモリーＭ３に記憶されている運転条件で動作している期間中は、文字「ＭＥＭＯ３」の近くに配置されている発光ダイオードＬ３が発光する。すなわち、文字「ＭＥＭＯ１」〜「ＭＥＭＯ３」と発光ダイオードＬ１〜Ｌ３は、選択したメモリー、また、現在動作中の運転条件を記憶したメモリーが何であるかを示す標識として機能する。
【００２６】
また、発光ダイオードＬ４〜Ｌ８は、運転条件の実行順序を明示する。ここで、発光ダイオードＬ４，Ｌ６，Ｌ８は、それぞれ文字「ＭＥＭＯ１」，「ＭＥＭＯ２」，「ＭＥＭＯ３」の直下に配置され、発光ダイオードＬ５は文字「ＭＥＭＯ１」と「ＭＥＭＯ２」の中間に、発光ダイオードＬ７は文字「ＭＥＭＯ２」と「ＭＥＭＯ３」の中間に配置されている。そして、各メモリー選択キーを押した順にそれらのメモリー選択キーの直下の発光ダイオードを順次発光させることにより、その動作シーケンスにおける各運転条件の実行順序を明示する。この場合、メモリー選択キーの中間に配置されている発光ダイオードの発光を経由して次のメモリー選択キーに対応する発光ダイオードの発光に移行させることにより、発光を流れるように表示して、より明瞭に選択順序を明示することができる。
【００２７】
例えば、メモリーＭ３の運転条件、メモリーＭ１の運転条件、メモリーＭ２の運転条件で順次に遠心分離機を動作させる動作シーケンスを入力しようとする場合、まず最初にメモリー選択キー８ｃを押すと発光ダイオードＬ３だけが発光する。次にメモリー選択キー８ａを押すと発光ダイオードＬ１が発光し、合わせて発光ダイオードＬ８、Ｌ７、Ｌ５、Ｌ４が順次に点滅し、Ｌ８からＬ４に流れるように繰り返して発光する。これにより、メモリーＭ３の運転条件、メモリーＭ１の運転条件で順次に実行するシーケンスであることが明示される。
【００２８】
さらに、メモリー選択キー８ｂを押すと、発光ダイオードＬ８、Ｌ７、Ｌ５、Ｌ４、Ｌ５、Ｌ６が順次に点滅し、Ｌ８からＬ４、そしてＬ４からＬ６に流れるように繰り返して発光する。これにより、メモリーＭ３の運転条件、メモリーＭ１の運転条件、そしてメモリーＭ２の運転条件で順次に実行するシーケンスであることが明示される。
【００２９】
このように動作シーケンスを入力する際、現在まで入力したシーケンスを確認しながら、次のシーケンスを入力できるので、動作シーケンスの入力ミスを未然に防止することができる。
【００３０】
この状態でスタートキー９を押すと、メモリーＭ３の運転条件、メモリーＭ１の運転条件、メモリーＭ２の運転条件で順次に遠心分離機を動作させる。そして、その実行中、発光ダイオードＬ８、Ｌ７、Ｌ５、Ｌ４、Ｌ５、Ｌ６が順次に点滅し、Ｌ８からＬ４、そしてＬ４からＬ６に流れるように繰り返して発光することにより、発光ダイオードＬ４〜Ｌ８は、複数の運転条件の動作順序を示す標識として機能する。
【００３１】
図３は、遠心分離機を動作させるときの一例を示したフローチャートである。
【００３２】
既に、メモリーＭ１とメモリーＭ３には運転条件が記憶されている状態で、メモリーＭ３に対応するメモリー選択キー８ｃを押すと、メモリーＭ３に記憶されている運転条件が呼び出され、パラメータ値表示部１ｂにその運転条件が表示されると共に、発光ダイオードＬ３が点灯する。続いて、スタートキー９が押されると、メモリーＭ３の運転条件で遠心分離機が動作を開始し、その運転条件での動作が終了するまで発光ダイオードＬ３が点滅し続け、現在実行中の運転条件がメモリーＭ３に記憶された運転条件であることを表示する。設定されたメモリーＭ３の運転条件での動作が終わると、発光ダイオードＬ３の発光がスタートキー９を押す直前の状態である点灯に戻り、運転動作は終了する。
【００３３】
一方、メモリーＭ３に対応するメモリー選択キー８ｃを押した後、スタートキー９を押すことなく、続いて、メモリーＭ１に対応するメモリー選択キー８ａを押すと、メモリーＭ１に記憶されている運転条件が呼び出され、パラメータ値表示部１ｂにはその運転条件が表示されると共に、発光ダイオードＬ１が点灯する。
【００３４】
そして、発光ダイオードＬ８、Ｌ７、Ｌ５、Ｌ４がこの順序で電光掲示板のように点滅し、動作シーケンス表示部１ｃがメモリーＭ３の運転条件を先に実行し、引き続いてメモリーＭ１の運転条件を実行することを予告する。
【００３５】
このシーケンスを確認し、スタートキー９を押すと、メモリーＭ３の運転条件で遠心分離機が動作を開始し、その運転条件での動作が終わるまで発光ダイオードＬ３が点滅し続け、現在実行中の運転条件がメモリーＭ３に記憶された運転条件であることを表示する。また、発光ダイオードＬ８、Ｌ７、Ｌ５、Ｌ４がこの順序で電光掲示板のように点滅を続け、遠心分離機の動作順序が、メモリーＭ３の運転条件、引き続いてメモリーＭ１の運転条件であることを表示する。
【００３６】
メモリーＭ３の運転条件での動作が終了すると、自動的にメモリーＭ１に記憶された運転条件で遠心分離機が動作を続け、その運転条件での動作が終わるまで発光ダイオードＬ１が点滅し続け、現在実行中の運転条件がメモリーＭ１に記憶された運転条件であることを表示する。また、発光ダイオードＬ８、Ｌ７、Ｌ５、Ｌ４がこの順序で電光掲示板のように点滅を続け、遠心分離機の動作順序が、メモリーＭ３の運転条件、引き続いてメモリーＭ１の運転条件であることを表示する。設定された運転条件での動作が終わると、全ての発光ダイオードの発光が、スタートキー９を押す直前の状態に戻り、運転動作は終了する。
【００３７】
上記した実施の形態では、簡単な構成でありながら、動作シーケンス表示部１ｃは、選択されたメモリー、選択されたメモリーの選択順序、及び動作中の運転条件を記憶したメモリーを表示する。そのため、操作者は、運転条件の設定状態及び動作中の運転条件を把握することができ、入力ミス、操作ミス等を防止することができると共に、次工程の段取りを運転状況を見ながら的確に行うことができる。なお、当然ながら、運転条件を記憶するメモリーの数は上記した３に限られず、もっと多くすることも可能であり、それに伴って、動作シーケンスの表示手段である発光ダイオードの設置数も多くすることが可能である。
【００３８】
図４は、図１の実施の形態に対応する電子回路のブロック・ダイアグラムである。中央制御装置１１はパネル１内の、運転条件選択キー３ａ，３ｂ，３ｃ、温度表示手段４ａ、速度表示手段４ｂ、運転時間表示手段４ｃ、回転速度モード表示手段５ａ、遠心加速度モード表示手段５ｂ、分単位モード表示手段６ａ、秒単位モード表示手段６ｂ、設定値増加キー７ａ、設定値減少キー７ｂ、メモリー選択キー８ａ，８ｂ，８ｃ、電源スイッチ２、スタートキー９、ストップキー１０、発光ダイオードＬ１〜Ｌ８、及び不揮発性メモリーに接続されている。不揮発性メモリーは、上記メモリーＭ１、メモリーＭ２、メモリーＭ３、及び各メモリーに記憶された運転条件の実行順序を記憶するシーケンス用メモリーＭＳを備える。中央制御装置１１は、上に詳しく説明したデータ処理を実行するためのプログラムを内蔵し、そのプログラムに従って、遠心分離機１２の回転制御部，温度制御部の動作を制御する。
【００３９】
以上、本発明に係る遠心分離機を説明したが、本発明は、何ら既述の実施の形態に限定されるものではなく特許請求の範囲に記載した本発明の技術的思想の範囲内において、種々の変形及び変更が可能であることは当然である。
【符号の説明】
【００４０】
１      パネル
１ａ    入力部
１ｂ    パラメータ値表示部
１ｃ    動作シーケンス表示部
２      電源スイッチ
３ａ，３ｂ，３ｃ    運転条件選択キー
４ａ    温度表示手段
４ｂ    速度表示手段
４ｃ    運転時間表示手段
５ａ    回転速度モード表示手段
５ｂ    遠心加速度モード表示手段
６ａ    分単位モード表示手段
６ｂ    秒単位モード表示手段
７ａ    設定値増加キー
７ｂ    設定値減少キー
８ａ，８ｂ，８ｃ    メモリー選択キー
９      スタートキー
１０    ストップキー
１１    中央制御装置
１２    遠心分離機
Ｌ１〜Ｌ８    発光ダイオード
【図１】
2010194444.tif 000003
【図２】
2010194444.tif 000004
【図３】
2010194444.tif 000005
【図４】
2010194444.tif 000006